(57)【要約】【課題】  口腔粘膜への刺激の少なく、かつ殺菌活性を高く保った口腔殺菌液を供給できる口腔殺菌用品を提供する。【解決手段】  口腔殺菌用品１は、容器２とこの容器２に収容された口腔殺菌用原液３と、容器２の底部に取り付けられた電解装置４とから構成されている。口腔殺菌用原液３は、電解装置４によって電解されることで電解水を含んだ口腔殺菌液となる。こうした口腔殺菌用原液３は、粘膜保護成分を含んでいる。粘膜保護成分としては、グリセリンが好ましく挙げられる。【選択図】        図１
2006068354.tif 000002
【特許請求の範囲】
【請求項１】
粘膜保護成分を含む口腔殺菌用原液と、前記口腔殺菌用原液を収容する容器と、前記容器に設けられ、前記口腔殺菌用原液を電解して口腔殺菌液を生成する電解装置とを備えたことを特徴とする口腔殺菌用品。
【請求項２】
前記粘膜保護成分はグリセリンであることを特徴とする請求項１記載の口腔殺菌用品。
【請求項３】
前記グリセリンの濃度は０．１〜８０質量％に設定されることを特徴とする請求項２記載の口腔殺菌用品。
【請求項４】
前記電解装置により生成した口腔殺菌液の有効塩素濃度が１〜３００ｐｐｍであることを特徴とする請求項１ないし３のいずれか１項に記載の口腔殺菌用品。
【請求項５】
前記口腔殺菌用原液は塩化ナトリウムを０．００１〜５質量％含有することを特徴とする１ないし４のいずれか１項に記載の口腔殺菌用品。
【発明の詳細な説明】
【技術分野】
【０００１】
本発明は、口腔殺菌液を構成する電解水の殺菌活性が減退することのない、また口腔粘膜に対する刺激の少ない口腔殺菌液を生成するための口腔殺菌用原液を備えた口腔殺菌用品に関する。
【背景技術】
【０００２】
従来、う蝕、歯肉炎、歯周病および口臭等の細菌が病因とされる口腔内疾患の予防を目的に、カチオン性および非カチオン性の殺菌剤が歯磨剤、洗口剤に配合されてきた。また近年、希塩酸および食塩水を電気分解することによって得られる電解水が、医療分野で消毒用として使用されており、従来の殺菌剤と比較しても高い殺菌効果を示すことが報告されている。
【０００３】
口腔衛生分野においても、次亜塩素酸濃度とｐHの調整により殺菌力とステイン除去力を有した安全性の高い口腔洗浄水技術（特許文献１参照）、有効塩素を非プロトン性物質で含包することにより、細菌に取り込ませ細菌を死滅させる殺菌技術（特許文献２参照）、有効塩素濃度およびｐＨの調整による殺菌効果が持続し、健康への悪影響の少ない安価な殺菌・抗菌方法（特許文献３参照）などが提案されている。
【特許文献１】特開平１０−８７４６２号公報
【特許文献２】特開２００２−３２０９７２号公報
【特許文献３】特開２００３−１６０４２１号公報
【発明の開示】
【発明が解決しようとする課題】
【０００４】
しかしながら、上述した特許文献に示したこれら口腔殺菌液は、その組成物中の有機物と素早く反応し、著しくその殺菌活性が減退するという問題があり、殺菌活性が経時で低下し、安定して高い殺菌力を発揮することができないといった課題があった。
【０００５】
また、口腔殺菌液を構成する電解水は、その生成化学種が次亜塩素酸、次亜塩素酸イオンおよび水素イオンなどであり、上述した特許文献に示す技術では、実際の口腔内での使用時において、口腔粘膜の炎症、刺激等の問題があり、日常的な使用に耐えられないという問題もある。
【０００６】
本発明は上記事情に鑑みなされたもので、口腔粘膜への刺激の少なく、かつ殺菌活性を高く保った口腔殺菌液を供給できる口腔殺菌用品を提供することを目的とする。
【課題を解決するための手段】
【０００７】
上記目的を達成するために、本発明によれば、粘膜保護成分を含む口腔殺菌用原液と、前記口腔殺菌用原液を収容する容器と、前記容器に設けられ、前記口腔殺菌用原液を電解して口腔殺菌液を生成する電解装置とを備えたことを特徴とする口腔殺菌用品が提供される。
【０００８】
前記粘膜保護成分はグリセリンであるのが好ましい。またこのグリセリンの濃度は０．１〜８０質量％に設定されるのが好ましい。前記電解装置により生成した口腔殺菌液の有効塩素濃度が１〜３００ｐｐｍであればよい。前記口腔殺菌用原液は塩化ナトリウムを０．００１〜５質量％含有していればよい。
【発明の効果】
【０００９】
本願発明によれば、組成物中の電解水の殺菌活性を減退させることがなく、口腔粘膜への刺激が少ない口腔殺菌液を供給可能な口腔殺菌用品を実現することができる。
【発明を実施するための最良の形態】
【００１０】
以下、本発明の実施形態について、図面を交えて説明する。図１は、本発明の口腔殺菌用品の一例を示す断面図である。本発明の口腔殺菌用品１は、容器２とこの容器２に収容された口腔殺菌用原液３と、容器２の底部に取り付けられた電解装置４とから構成されている。口腔殺菌用原液３は、電解装置４によって電解されることで電解水を含んだ口腔殺菌液となる。こうした口腔殺菌用原液３は、粘膜保護成分を含んでいる。粘膜保護成分としては、グリセリンが好ましく挙げられる。
【００１１】
ここで、グリセリンはC3H8O3 で表される３価のアルコールで、具体的には、化粧品原料基準、日本薬局方に適合したものなどを用いることができる。更に詳しくは、グリセリン含量９５．０％以上の化粧品原料基準適合濃グリセリン、グリセリン含量９８．０％以上の日本薬局方適合濃グリセリン、もしくは、グリセリン含量８４〜８７％の化粧品原料基準または日本薬局方適合グリセリンなどを用いることができる。これらグリセリンの配合量は、純分換算で組成物全体の０．１％〜８０％（質量％、以下同じ）、特に１％〜５０％とすることが好ましく、０．１％未満であると口腔粘膜保護作用が充分に発揮されない場合があり、８０％より配合量が多いと、電解装置４によって生成した電解水の殺菌効果を減じる場合がある。
【００１２】
口腔殺菌用原液３は、電解装置４によって電解されて電解水を生成させるために、塩化ナトリウムなどのイオン化物質を含有している。
【００１３】
塩化ナトリウムの配合量は、組成物全体で０．００１％〜５％、特に０．０１％〜１％とすることが好ましく、０．００１％未満であると、電解水の生成量が少なく、充分に殺菌効果を発揮できない場合がある。また、５％より配合量が多いと、グリセリンの粘膜保護作用を減じる場合がある。
【００１４】
本発明の口腔殺菌用品１を構成する容器２は、例えば内容量が５０ｍｌ〜３０００ｍｌの容器を用いることができる。容器２の材質としては、ＰＥＴ（ポリエチレンテレフタレート）、ガラス等を好適に用いることができるが、これらに限定されることはなく、ポリプロピレン、ポリエチレン等も使用可能である。また、容器２の開口部分にはディスペンサーポンプもしくは図１に示すキャップ５を付けることもできる。
【００１５】
本発明の口腔殺菌用品１を構成する電解装置４は、例えば容器２の底部に装着される。電解装置４は、容器２の口腔殺菌用原液３を収容する収容部２ａとの間を水密に隔てる隔壁１１と、電源１２、スイッチ１３、および一対の電極１４ａ，１４ｂから構成されている。電極１４ａ，１４ｂは、隔壁１１を貫いて収容部２ａ内に露出するように形成されている。
【００１６】
なお、こうした口腔殺菌用原液３を電解するための電極は、底部から収容部２ａ内に突出する以外にも、上部のキャップ５から収容部２ａ内に突出するように形成したり、あるいは容器２の周面から収容部２ａ内に突出するように形成しても良く、限定されるものではない。また、電極の形状は、収容部２ａ内に板状の電極が突出する以外にも、例えば、隔壁１１の面に沿って電極が露出していてもよく、限定されるものではない。
【００１７】
電極１４ａと電極１４ｂとの距離は０．２mm〜５０mmの範囲に設定されるのがよい。電気回路は電極１４ａ，１４ｂと電源１２とを導線１６でつなぎ、導線１６の途中にスイッチ１３を設ける。電極１４ａ，１４ｂの材質は、白金、金、銅、亜鉛、スズ、ステンレス、カーボン、アルミニウム等を用いることができるが、これらに限定されることなく他の導電体も使用可能である。
【００１８】
電源１２としては、交流電源、直流電源のいずれでもよい。好ましくは乾電池、ボタン電池、ニッケル−カドミウム電池、ニッケル−水素電池、リチウムイオン電池等を用いることにより装置が簡便化できる。また電池以外にも半導体、金属電位差利用電源、光電変換素子などのいわゆる太陽電池が採用されても良い。
【００１９】
次に、本発明の口腔殺菌用品１の作用を説明する。口腔殺菌用品１の使用時には、別な口腔殺菌用原液のタンク等から容器２に口腔殺菌用原液３を満たした状態で、スイッチ１３を操作して電解装置４を動作させる。すると、電解装置４の電極１４ａ，１４ｂへの通電によって、容器２に収容されている口腔殺菌用原液３が電解されて電解水を生じ、口腔殺菌液が生成される。電解装置４による電極１４ａ，１４ｂへの通電時間は、例えば３０秒〜３０分間でよい。
【００２０】
こうして生成された電解水を含む口腔殺菌液を口腔内に使用する。また、容器２内に予め口腔殺菌用原液３を充填しておき、使用時に上記操作を行ない、必要量を口腔内に使用することもできる。その場合、電解装置４が作動していない時には、内部の電解水の殺菌活性が減退している場合があるので、使用時にその都度スイッチ１３を操作して電解水を生成させればよい。こうした電解装置４の作動により生成した口腔殺菌液の電解水中の有効塩素濃度は、１〜３００ｐｐｍ、特に１０〜１００ｐｐｍであることが好ましい。１ｐｐｍ未満であると殺菌効果が充分発揮できない場合があり、３００ｐｐｍより多いと、グリセリンの粘膜保護作用を減じる場合がある。なお、有効塩素濃度の測定は、例えば、ＳＩＢＡＴＡ簡易測定キット（微酸性電解水用および強酸性電解水用シンプルバック）を用いることができ、ほかに吸光度による測定や滴定法を用いることができる。
【００２１】
本発明の口腔殺菌用品の口腔殺菌用原液は、洗口剤、口中清涼剤、濃縮タイプ洗口剤などとして調製、適用することができるが、上記成分以外に、電解装置４を装着した容器２に充填されている場合には、その剤型に応じて適宜な任意成分を配合することができ、例えば、湿潤剤、増粘剤、ｐＨ調整剤、防腐剤、甘味剤、香料、界面活性剤、有効成分、清掃助剤、着色料等を配合できる。
【００２２】
湿潤剤としては、ソルビトール、プロピレングリコール、エチレングリコール、ポリエチレングリコール、キシリトール、マルチット、ラクチット等を配合することができる。増粘剤としては、キサンタンガム、カラギーナン、カルボキシメチルセルロースナトリウム、ヒドロキシエチルセルロース、アルギン酸ナトリウム、ポリビニルアルコール等、ｐＨ調整剤としては、フタル酸、リン酸、クエン酸、コハク酸、酢酸、フマル酸、リンゴ酸及び炭酸並びにそれらのカリウム塩、ナトリウム塩及びアンモニウム塩、リボ核酸及びその塩類、更に水酸化ナトリウム、ホウ砂、塩酸炭酸水素塩などの１種又は２種以上を用いることができる。
【００２３】
防腐剤としては、安息香酸ナトリウム、メチルパラベン、プロピルパラベン、ブチルパラベン、塩化セチルピリジニウム、イソプロピルメチルフェノール、ソルビン酸カリウム等を挙げることができる。
【００２４】
また、甘味剤としてはサッカリンナトリウム、ステビオサイト等、防腐剤としてはパラベン等を配合することができる。
【００２５】
香料としては、ペパーミント油、スペアミント油、アニス油、ユーカリ油、ウィンターグリーン油、カシア油、シナモン油、クローブ油、タイム油、セージ油、カルダモン油、ローズマリー油、マジョラム油、レモン油、オレンジ油、フェンネル油、ナツメグ油、ラベンダー油、パラクレス油等の天然精油及び、ｌ−メントール、ｌ−カルボン、アネトール、１，８−シネオール、メチルサリシレート、オイゲノール、チモール、リナロール、リモネン、メントン、メンチルアセテート、シトラール、カンファー、ボルネオール、ピネン、スピラントール等の上記天然精油中に含まれる香料成分、また、エチルアセテート、エチルブチレート、イソアミルアセテート、ヘキサナール、ヘキセナール、メチルアンスラニレート、エチルメチルフェニルグリシデート、ベンツアルデヒド、バニリン、エチルバニリン、フラネオール、マルトール、エチルマルトール、ガンマ／デルタデカラクトン、ガンマ／デルタウンデカラクトン、Ｎ−エチル−ｐ−メンタン−３−カルボキサミド、メンチルラクテート、エチレングリコール−ｌ−メンチルカーボネート等の香料成分、さらには、いくつかの香料成分や天然精油を組み合わせてなる、アップル、バナナ、ストロベリー、ブルーベリー、メロン、ピーチ、パイナップル、グレープ、マスカット、ワイン、チェリー、スカッシュ、コーヒー、ブランデー、ヨーグルト等の調合フレーバーの１種または２種以上を、本発明の組成物中0.00001〜３重量％、本発明の効果を妨げない範囲で使用することができる。
【００２６】
界面活性剤としては、ショ糖モノ及びジラウレート等の脂肪酸基の炭素数が１２〜１８であるショ糖脂肪酸エステル、ラウリン酸デカグリセリル、ステアリン酸モノグリセライド等の脂肪酸グリセライド、ミリスチル酸ジエタノールアミド、酸化エチレンの平均重合度が１０〜１００モルのポリオキシエチレンソルビタン脂肪酸エステル、ソルビタン脂肪酸エステル、酸化エチレンの平均重合度が１０〜１００モルのポリオキシエチレン硬化ひまし油等のエステル系非イオン界面活性剤、酸化エチレンの平均重合度が６〜５０モルのポリオキシエチレンアルキルエーテル、ポリオキシエチレンアルキルアリールエーテル、ポリオキシエチレンアルキルフェニルエーテル系のもの及びポリオキシエチレンポリオキシプロピレングリコール、ポリオキシエチレンポリオキシプロピレンアルキルエーテル等のブロックポリマー型のエーテル系非イオン界面活性剤、ラウリル硫酸ナトリウム、ミリスチル硫酸ナトリウム、Ｎ−ラウロイルザルコシネート、ラウロイルメチルタウリン、アシルアミノ酸塩、ドデシルベンゼンスルホン酸ナトリウム、α−スルホ脂肪酸アルキルエステル・ナトリウム、アルキルリン酸エステル塩等のアニオン性界面活性剤、アルキルジメチルアミノ酢酸ベタイン、脂肪酸アミドプロピルジメチルアミノ酢酸ベタインなどの酢酸ベタイン型両性界面活性剤、Ｎ−脂肪酸アシル−Ｎ−カルボキシメチル−Ｎ−ヒドロキシエチルエチレンジアミン塩などのイミダゾリン型両性界面活性剤、Ｎ−脂肪酸アシル−Ｌ−アルギネート塩等のアミノ酸型界面活性剤などを単独又は組み合わせて用いることができ、通常配合量は０．０５〜５重量％として用いることができる。
【００２７】
有効成分として、トラネキサム酸、イプシロン-アミノカプロン酸などの抗炎症剤、デキストラナーゼ、アミラーゼ、プロテアーゼ、ムタナーゼ、リゾチーム、溶菌酵素、リテックエンザイム等の酵素、フッ化ナトリウム、モノフルオロリン酸ナトリウム、フッ化第一錫等のフッ化物、、アルミニウムクロルヒドロキシアラントイン、アラントイン、アズレン、塩化リゾチーム、アスコルビン酸等のビタミンＣ類、ジヒドロコレステロール、グリチルレチン塩類、グリチルレチン酸類、ヒドロコレステロール、クロロフィル、銅クロロフィリンナトリウム、タイム、オウゴン、チョウジ、ハマメリス等の植物抽出物、グルコン酸銅、カロペプタイド、ポリリン酸ナトリウム、水溶性無機リン酸化合物、ポリエチレングリコール、ポリビニルピロリドン、ラウロイルサルコシンナトリウム、歯石防止剤、歯垢防止剤、硝酸カリウム、乳酸アルミニウム等を添加することができる。なお、これらの有効成分の添加量は、本発明の効果を妨げない範囲で通常量とすることができる。
【００２８】
清掃助剤として、沈降性シリカ、ジルコノシリケート、アルミノシリケート、リン酸カルシウム、炭酸カルシウム、水酸化アルミニウム、酸化アルミニウム等を合計で１〜１０重量％用いることもできる。
【００２９】
着色料として、青色１号、緑色３号、黄色４号、赤色１０５号など安全性の高い水溶性色素を添加することができる。
【実施例】
【００３０】
以下、本発明の実施例を詳細に説明するが、本発明はこれらの実施例により制限されるものではない。なお、下記に示す％はいずれも質量％を意味する。下記に示す本発明例１〜４および比較例１〜３の口腔殺菌液を、口腔粘膜に炎症のみられない被験者３名に使用させた。なお、電解装置を装着した容器に充填した本発明例、比較例については、２０分間電解装置を作動させた直後の口腔殺菌液を使用させた。本発明例、比較例の使用前、使用後１時間後の唾液を０．５ｍｌずつ採取した。採取した唾液を生理食塩水で１０倍〜１０００００倍まで１０倍ずつに希釈し、あらかじめ用意しておいたTODD HEWITT BROTH寒天培地に５０μｌをスパイラル法にて接種し、５日間嫌気培養後の菌数をカウントした。各実施例、比較例の使用後１時間後の菌数を使用前の菌数で割ることにより、菌数変化率として算出した。
菌数変化率（％）＝（使用後１時間後）／（使用前の菌数）×１００
【００３１】
また、本発明例、比較例の使用前、使用後１時間後の被験者３名の頬部口腔粘膜の炎症度を目視にて判定した。
（判定基準）
以下の通り、使用後１時間後の頬部口腔粘膜炎症の度合いを目視し、以下の口腔粘膜炎症度を判定した。
「口腔粘膜炎症度」
３：使用前と比較して、口腔粘膜が真っ赤になり、かなりの炎症がみられる
２：使用前と比較して、口腔粘膜がやや赤くなり、軽度の炎症がみられる
１：使用前と比較して、口腔粘膜に全く炎症がみられない
【００３２】
（比較例１）
電解水                                                  ７３．２％
グリセリン（ライオンケミカル（株）製）                  １５
エタノール（信和アルコール製）                            ５
ポリオキシエチレン（６０）硬化ヒマシ油                    １
キシリトール                                              ５
酢酸                                                      ０．０２
酢酸ナトリウム                                            ０．２
香料                                                      ０．５
安息香酸ナトリウム                                        ０．３
計                                                    １００．０％
電解水は、三浦電子(株)製  ペティック（ｐ５００）に、純水４５０ｍｌと塩化ナトリウム０．４５ｇを入れ、２０分間使用して生成したものを用いた。グリセリン（ライオンケミカル（株）製）は、化粧品原料基準適合品で、グリセリンと水を８５：１５の比率で含み、グリセリンとしては純分換算で１２．７５％含有する。容器は電解装置を装着していない２５０ｍｌＰＥＴ製容器を用いた。
菌数変化率：１２２％
口腔粘膜炎症度：１
【００３３】
（比較例２）
電解水                                                  ８８．２％
エタノール（信和アルコール製）                            ５
ポリオキシエチレン（６０）硬化ヒマシ油                    １
キシリトール                                              ５
酢酸                                                      ０．０２
酢酸ナトリウム                                            ０．２
香料                                                      ０．５
安息香酸ナトリウム                                        ０．３
計                                                    １００．０％
電解水は、三浦電子(株)製  ペティック（ｐ５００）に、純水４５０ｍｌと塩化ナトリウム０．４５ｇを入れ、２０分間使用して生成したものを用いた。容器は電解装置を装着していない２５０ｍｌＰＥＴ製容器を用いた。
菌数変化率：１０８％
口腔粘膜炎症度：１
【００３４】
（比較例３）
塩化ナトリウム（和光純薬製）                              ０．１％
エタノール（信和アルコール製）                            ５
ポリオキシエチレン（６０）硬化ヒマシ油                    １
キシリトール                                              ５
酢酸                                                      ０．０２
酢酸ナトリウム                                            ０．２
香料                                                      ０．５
安息香酸ナトリウム                                        ０．３
水                                                        残部
計                                                  １００．０％
容器は、電解装置を装着した２５０ｍｌＰＥＴ製容器を用いた。電解装置を２０分間作動させて得られた口腔殺菌液を実験に用いた。電解装置は、幅１ｃｍ、高さ５ｃｍ、厚さ２ｍｍのカーボン板２枚を陽極電極、陰極電極（電極間距離２０ｍｍ）として２５０ｍｌＰＥＴ製容器の底部に装着し、容器外部で両電極を単三乾電池２本、スイッチ、可変抵抗器を介して接続した。
菌数変化率：０．１５％
口腔粘膜炎症度：３
【００３５】
（本発明例１）
塩化ナトリウム（和光純薬製）                              ０．１％
グリセリン（ライオンケミカル（株）製）                  １５
エタノール（信和アルコール製）                            ５
ポリオキシエチレン（６０）硬化ヒマシ油                    １
キシリトール                                              ５
酢酸                                                      ０．０２
酢酸ナトリウム                                            ０．２
香料                                                      ０．５
安息香酸ナトリウム                                        ０．３
水                                                        残部
計                                                    １００．０％
グリセリン（ライオンケミカル（株）製）は、化粧品原料基準適合品で、グリセリンと水を８５：１５の比率で含み、グリセリンとしては純分換算で１２．７５％含有する。容器は、電解装置を装着した２５０ｍｌＰＥＴ製容器を用いた。電解装置を２０分間作動させて得られた口腔殺菌液（有効塩素濃度７０ｐｐｍ）を実験に用いた。電解装置は、幅１ｃｍ、高さ５ｃｍ、厚さ２ｍｍのカーボン板２枚を陽極電極、陰極電極（電極間距離２０ｍｍ）として２５０ｍｌＰＥＴ製容器の底部に装着し、容器外部で両電極を単三乾電池２本、スイッチ、可変抵抗器を介して接続した。
菌数変化率：０．００２％
口腔粘膜炎症度：１
【００３６】
（本発明例２）
塩化ナトリウム（和光純薬製）                              ０．１％
グリセリン（ライオンケミカル（株）製）                  ２２
エタノール（信和アルコール製）                            ３
ポリオキシエチレン（１００）硬化ヒマシ油                  ０．５
クエン酸（扶桑化学製）                                    ０．１
クエン酸ナトリウム（扶桑化学製）                          ０．５
サッカリンナトリウム                                      ０．００２
香料                                                      ０．５
水                                                        残部
計                                                    １００．０％
グリセリン（ライオンケミカル（株）製）は、化粧品原料基準適合品で、グリセリンと水を８５：１５の比率で含み、グリセリンとしては純分換算で１８．７％含有する。容器は、電解装置を装着した５００ｍｌガラス製容器に口径３．５ｃｍのＰＥＴ製キャップを付属したものを用いた。電解装置を１０分間作動させて得られた口腔殺菌液（有効塩素濃度６０ｐｐｍ）を実験に用いた。電解装置は、幅１ｃｍ、高さ８ｃｍ、厚さ１．５ｍｍのカーボン板２枚を陽極電極、陰極電極（電極間距離４０ｍｍ）としてキャップ部に装着し、容器外部で両電極を単四乾電池３本、スイッチ、可変抵抗器を介して接続した。
菌数変化率：０．０５％
口腔粘膜炎症度：１
口腔粘膜炎症度：１
【００３７】
（本発明例３）
塩化ナトリウム（和光純薬製）                              ０．０５％
グリセリン（ライオンオケミカル（株）製）                ４０
エタノール（信和アルコール製）                            ３
ポリオキシエチレン（４０）硬化ヒマシ油                    １．８
クエン酸                                                  ０．０６
クエン酸ナトリウム                                        ０．４
ラウロイルサルコシンナトリウム                            ０．０５
イプシロンアミノカプロン酸                                ０．０３
香料                                                      ０．５
水                                                        残部
計                                                    １００．０％
グリセリン（ライオンケミカル（株）製）は、化粧品原料基準適合品で、グリセリンと水を８５：１５の比率で含み、グリセリンとしては純分換算で３４％含有する。容器は、電解水生成装置を装着した１０００ｍｌガラス製容器に口径４ｃｍのＰＥＴ製キャップを付属したものを用いた。電解水生成装置を２分間作動させて得られた液（有効塩素濃度４０ｐｐｍ）を実験に用いた。電解水生成装置は、幅１ｃｍ、高さ１０ｃｍ、厚さ１．５ｍｍのカーボン板２枚を陽極電極、陰極電極（電極間距離５０ｍｍ）としてキャップ部に装着し、容器外部で両電極を単四乾電池３本、スイッチ、可変抵抗器を介して接続した。
菌数変化率：０．０８％
口腔粘膜炎症度：１
【００３８】
（本発明例４）
塩化ナトリウム（和光純薬製）                              ０．０２％
グリセリン（ライオンケミカル（株）製）                  ２０
エタノール（信和アルコール製）                          １０
酢酸                                                      ０．０３
酢酸ナトリウム                                            ０．３
イプシロンアミノカプロン酸                                ０．０３
カラギーナン                                              ０．５
プロピレングリコール                                      １
無水ケイ酸                                                ２
香料                                                      ０．５
水                                                        残部
計                                                    １００．０％
グリセリン（ライオンケミカル（株）製）は、化粧品原料基準適合品で、グリセリンと水を８５：１５の比率で含み、グリセリンとしては純分換算で１７％含有する。容器は、電解装置を装着した３５０ｍｌＰＥＴ製容器を用いた。電解装置５分間作動させて得られた口腔殺菌液（有効塩素濃度３０ｐｐｍ）を実験に用いた。電解装置は、幅１．５ｃｍ、高さ５ｃｍ、厚さ２．５ｍｍのカーボン板２枚を陽極電極、陰極電極（電極間距離１０ｍｍ）として３５０ｍｌＰＥＴ製容器の底部に装着し、容器外部で両電極を単三乾電池２本、スイッチ、可変抵抗器を介して接続した。
菌数変化率：０．２％
口腔粘膜炎症度：１
【００３９】
以上のような、比較例１〜３と本発明例１〜４の実施例による検証結果を、表１にまとめて示す。
【００４０】
【表１】
2006068354.tif 000003
【００４１】
以上の結果より、粘膜保護成分としてグリセリンを使用した口腔殺菌用原液を、電解装置を備えた容器によって電解して電解水を含む口腔殺菌液を生成することにより、殺菌活性を減退させることなく、口腔粘膜への刺激の少ない口腔殺菌液が得られることが明らかとなった。
【図面の簡単な説明】
【００４２】
【図１】図１は、本発明の口腔殺菌用品を示す断面図である。
【符号の説明】
【００４３】
１  口腔殺菌用品
２  容器
３  口腔殺菌用原液
４  電解装置
【図１】
2006068354.tif 000004